(57)【要約】【課題】  合成樹脂の導光板に生じる熱膨張によって、入射端面とＬＥＤユニットとの相対位置が変化して、ＬＥＤユニットが損傷するのを防止する。【解決手段】  ＬＥＤユニット４収納用の光源収納部３１と、その一端の起立板３４を有する断面Ｌ字状の光源ホルダー３を用い、光源収納部３１を導光板１の入射端面１１に臨設し、導光板１に積層した反射板２の外側に起立板３４を配置して、導光板１のコーナー位置で、起立板３４の長孔３５からのボルト８１を反射板２のばか穴２１を介して導光板１のインサートナット８に螺装することにより、反射板２を除いて、導光板１の熱膨張収縮に起立板３４が従動するようにする。導光板１の入射端面１１と光源ホルダー３の光源収納部３１の相対位置が常時不変となり、ＬＥＤユニット４の損傷要因を解消する。【選択図】  図４
2011096506.tif 000002
【特許請求の範囲】
【請求項１】
光源の入射光を入射端面に供給して導光する合成樹脂製の導光板と、該導光板の裏面に配置したベース板と、導光板の入射端面とベース板の裏面端部に亘るように該ベース板を挟んで配置した光源ホルダーを備え、該光源ホルダーを、入射端面側に光透過口を有する光源収納部と、該光源収納部からベース板の裏面に向けて起立した起立板を具備して断面Ｌ字状に一体に形成し、該光源ホルダーの上記光源収納部に光源を収納して光透過口から入射端面に入射光を供給自在とし且つ上記ベース板を挟んだ導光板と起立板を該ベース板に対して可動として上記起立板を導光板に一体的に固定することによって、該光源ホルダーを導光板の熱膨張収縮に対して追随移動自在としてなることを特徴とするディスプレー、サイン、面照明体等の導光パネル。
【請求項２】
上記導光板に対する起立板の一体的固定を、起立板側から導光板に対する金具固定によって行なうとともに該金具固定をベース板に配置した導光板の熱膨張方向に該金具を可動とする貫通孔乃至貫通溝を介して行なってなることを特徴とする請求項１に記載のディスプレー、サイン、面照明体等の導光パネル。
【請求項３】
上記起立板の一体的固定位置を、導光板のコーナー近傍位置とするとともに該起立板を該コーナー近傍位置から斜め方向に可動とすることによって、光源ホルダーを導光板のコーナー近傍位置の熱膨張収縮に対して追随移動自在としてなることを特徴とする請求項１又は２に記載のディスプレー、サイン、面照明体等の導光パネル。
【請求項４】
上記導光板コーナー近傍位置の起立板の一体的固定を、起立板に斜め方向に向けた長孔を配置し、該長孔から導光板に対する金具固定によって行ってなることを特徴とする請求項３に記載のディスプレー、サイン、面照明体等の導光パネル。
【請求項５】
上記金具固定を、導光板に埋込設置したインサートナットに起立板側からのボルトを螺入して行なってなることを特徴とする請求項１、２、３又は４に記載の電食看板、サイン、面照明体等の導光パネル。
【請求項６】
上記光源ホルダーを、入射端面側において端部を被覆するように表面に向けて起立した装飾板を備えた断面Ｕ字状とすることによって額縁兼用のものとしてなることを特徴とする請求項１、２、３、４又は５に記載のディスプレー、サイン、面照明体等の導光パネル。
【請求項７】
上記光源ホルダーの外側に、導光パネルの入射端面側の端部を被覆する断面Ｕ字状の額縁を備え、該額縁裏面の裏面起立板を上記光源ホルダーの起立板と同時に導光板に金具固定することによって光源ホルダーとともに該額縁を導光板の熱膨張収縮に対して追随移動自在としてなることを特徴とする請求項１、２、３、４、５又は６に記載のディスプレー、サイン、面照明等の導光パネル。
【請求項８】
上記光源を、ＬＥＤチップを基板長手方向に直列に配置したＬＥＤユニットとし、上記光源ホルダーの光源収納部を、光透過口を開口溝とする断面Ｃ字状に形成し、該開口溝両端の対向突条に導光板端部を対接自在とするとともに上記ＬＥＤチップ間の基板上に該対向突条間に亘るように交差配置して該基板と対向突条間にスペーサーを保持することによって光源ホルダーの光源収納部に該ＬＥＤユニットを収納配置してなることを特徴とする請求項１、２、３、４、５、６又は７に記載のディスプレー、サイン、面照明体等の導光パネル。
【発明の詳細な説明】
【技術分野】
【０００１】
本発明は、光源の入射光を導光板で導光して、導光板の表面に配置したポジフィルムを背面照明するディスプレーやサインとして、また、導光した入射光によって面照明を行なう面照明体として用いるようにした、ディスプレー、サイン、面照明等の導光パネルに関する。
【背景技術】
【０００２】
この種の導光パネルとして、本発明者による下記特許文献１が知られており、これによれば、導光パネルは、光源の入射光を入射端面に供給して導光する合成樹脂製の導光板と、該導光板の裏面に配置したベース板と、導光板の入射端面に臨設して配置したＬＥＤユニット等の光源を備えたものとされ、更には、導光板の表面に配置した光拡散板と、該光拡散板の表面に配置した透明カバーと、これらの各端部を被覆して、例えば、上記ベース板に接着、ネジ止め等の固定手段によって一体的に固定した額縁を備えることによって、上記光拡散板と透明カバー間にポジフィルムを挟持し、導光板の導光によって該ポジフィルムの背面照明を行なう上記ディスプレーやサインとして使用するものとされ、このとき、光源は、ＬＥＤチップを基板に直列配置したＬＥＤユニットによるものとして、その基板を額縁の内側底面に接着等の固定手段によって固定することによって、該ＬＥＤユニットのＬＥＤチップによって導光板に入射光を供給するものされている。
【先行技術文献】
【特許文献】
【０００３】
【特許文献１】特開２００９−１２３５５７号公報
【発明の概要】
【発明が解決しようとする課題】
【０００４】
この場合、例えば、Ａ１版、Ｂ１版、更には１辺を１〜２ｍとするといった比較的大判にして、薄型としながらも高輝度の裏面照明を行なうものとすることが可能となるが、導光板は合成樹脂製、例えば、アクリル透明樹脂製のものとされるから、導光パネルを高温となる場所、例えば、太陽の直射光を受ける屋外に南面に向くように設置した場合、日中に直射熱を受けて導光板が熱膨張することに起因して、導光パネルが点灯しなくなり、導光パネルとして不可欠な背面照明が不能になるというトラブルを引き起こす可能性がある。
【０００５】
即ち、光源を上記ＬＥＤユニットとした場合、該ＬＥＤユニットは、一般に３０ｃｍ程度の長さのものや、これを適宜長さに切断したものを、導光板の入射端面の長さに合せて複数用いて、例えば、コネクターを用いたり、リード線をハンダ付けしたりすることによって、双方の電極を接続して上記額縁材の底面内側に固定するものされるところ、上記アクリル透明樹脂板の熱膨張係数は６．８×１０−５／Ｋであり、１０℃の温度変化によって幅方向及び高さ方向に１ｍ当り０．７ｍｍの熱膨張収縮を示すから、３０℃の温度変化で、導光板の熱膨張収縮は各２ｍｍ強、４０℃の温度変化で各３ｍｍ弱、５０℃で３．５ｍｍ弱となるに至るところ、上記のように光源を配置した額縁をベース板に固定した場合、例えば、幅方向の入射端面側に向けた熱膨張によって導光板の入射端面が光源に圧接するとともに導光板の高さ方向の熱膨張によって、該入射端面に圧接したＬＥＤユニットに対して、該ＬＥＤユニットを引き伸ばすように引張力が作用することになり、その結果、該ＬＥＤユニットの基板やその接続部位が引張力に抗しきれずに破断したり、損傷したりする可能性を生じる。
【０００６】
この場合、導光板と光源との間に空隙を配置すれば、導光板の熱膨張を吸収してＬＥＤユニットの破断や損傷を防止することが可能となるが、空隙を配置すれば光源の入射光が距離の二乗に反比例して減少し、導光パネルの照明輝度を低下するように作用するところ、照明輝度の低下を生じない空隙は１ｍｍ程度が限度であるから、該空隙を配置しても、導光板の熱膨張量がこれを超える場合には、結局、同じように引張力が作用して破断や損傷を招く可能性を回避することは困難である。
【０００７】
近時、大判の導光パネルは、例えば、駅ホームにおける時刻表の表示、ビル玄関前のオープンスペースやビル壁面における案内の表示等、屋外設置のケースも見られるところ、温度変化に伴う導光板の熱膨張収縮に起因するこの種トラブルの可能性を解消する必要がある。
【０００８】
本発明はかかる事情に鑑みてなされたもので、その解決課題とするところは、熱膨張収縮の不可避な合成樹脂製の導光板を使用しながら、照明輝度の低下を招くことなく、可及的簡易且つ確実に該熱膨張収縮に起因するトラブルの可能性を解消したディスプレー、サイン、面照明等の導光パネルを提供するにある。
【課題を解決するための手段】
【０００９】
上記課題に沿って本発明は、光源を光源ホルダーに収納して、該光源によって導光板の入射端面に入射光を供給するようにする一方、光源ホルダーに設置した裏面側の起立板を導光板に一体的に固定するとともに該一体的な固定を、導光板と光源ホルダーの起立板をこれらの間に挟んだベース板に対して可動として、光源収納の光源ホルダーを、導光板の熱膨張収縮に応じて従動するようにすることによって、導光パネルにおける導光板と光源ホルダーを、ベース板に対して独立して同時に移動自在として、該導光板の入射端面と光源ホルダーの光源の相対位置関係を常時不変に維持するようにして、導光板の熱膨張収縮に起因するトラブルを解消したものであって、即ち、請求項１に記載の発明を、光源の入射光を入射端面に供給して導光する合成樹脂製の導光板と、該導光板の裏面に配置したベース板と、導光板の入射端面とベース板の裏面端部に亘るように該ベース板を挟んで配置した光源ホルダーを備え、該光源ホルダーを、入射端面側に光透過口を有する光源収納部と、該光源収納部からベース板の裏面に向けて起立した起立板を具備して断面Ｌ字状に一体に形成し、該光源ホルダーの上記光源収納部に光源を収納して光透過口から入射端面に入射光を供給自在とし且つ上記ベース板を挟んだ導光板と起立板を該ベース板に対して可動として上記起立板を導光板に一体的に固定することによって、該光源ホルダーを導光板の熱膨張収縮に対して追随移動自在としてなることを特徴とするディスプレー、サイン、面照明体等の導光パネルとしたものである。
【００１０】
請求項２に記載の発明は、上記に加えて、導光板と光源ホルダーの起立板の一体的固定を、複雑な構造とすることなく、導光パネルの生産に適した簡易な構造のものとするように、これを、上記導光板に対する起立板の一体的固定を、起立板側から導光板に対する金具固定によって行なうとともに該金具固定をベース板に配置した導光板の熱膨張方向に該金具を可動とする貫通孔乃至貫通溝を介して行なってなることを特徴とする請求項１に記載のディスプレー、サイン、面照明体等の導光パネルとしたものである。
【００１１】
請求項３に記載の発明は、同じく上記に加えて、上記導光板と光源ホルダーの起立板の一体的固定を確実に行う好ましい形態とするように、上記導光板のコーナー近傍位置において行うときに、導光板の熱膨張収縮に対して光源ホルダーが常に確実な追随移動を行うようにして、導光板を大判としたときを含めて上記導光板の入射端面と光源ホルダーの光源の相対的位置関係を常時不変に維持し得るものとするように、これを、上記起立板の一体的固定位置を、導光板のコーナー近傍位置とするとともに該起立板を該コーナー近傍位置から斜め方向に可動とすることによって、光源ホルダーを導光板のコーナー近傍位置の熱膨張収縮に対して追随移動自在としてなることを特徴とする請求項１又は２に記載のディスプレー、サイン、面照明体等の導光パネルとしたものである。
【００１２】
請求項４に記載の発明は、同じく上記に加えて、該斜め方向の長孔を用いた上記導光板と光源ホルダーの起立板の一体的固定を、複雑な構造とすることなく、導光パネルの生産に適した簡易な構造のものとするように、上記導光板コーナー近傍位置の起立板の一体的固定を、起立板に斜め方向に向けた長孔を配置し、該長孔から導光板に対する金具固定によって行ってなることを特徴とする請求項３に記載のディスプレー、サイン、面照明体等の導光パネルとしたものである。
【００１３】
請求項５に記載の発明は、同じく上記に加えて、上記導光板と光源ホルダーの起立板の一体的固定における上記金具固定を、市販の金具を用いてなし得るようにするとともに金具固定に際しての可動を確実になし得るものとするように、これを、上記金具固定を、導光板に埋込設置したインサートナットに起立板側からのボルトを螺入して行なってなることを特徴とする請求項１、２、３又は４に記載の電食看板、サイン、面照明体等の導光パネルとしたものである。
【００１４】
請求項６に記載の発明は、同じく上記に加えて、上記光源ホルダーを額縁兼用のものとすることによって、可及的に少ない部材で外観の良好な導光パネルとするように、これを、上記光源ホルダーを、入射端面側において端部を被覆するように表面に向けて起立した装飾板を備えた断面Ｕ字状とすることによって額縁兼用のものとしてなることを特徴とする請求項１、２、３、４又は５に記載のディスプレー、サイン、面照明体等の導光パネルとしたものである。
【００１５】
請求項７に記載の発明は、同じく上記に加えて、導光パネルが光源ホルダーとは別に額縁を備えたものとすることによって、外観の良好な導光パネルとするように、これを、上記光源ホルダーの外側に、導光パネルの入射端面側の端部を被覆する断面Ｕ字状の額縁を備え、該額縁裏面の裏面起立板を上記光源ホルダーの起立板と同時に導光板に金具固定することによって光源ホルダーとともに該額縁を導光板の熱膨張収縮に対して追随移動自在としてなることを特徴とする請求項１、２、３、４又は５に記載のディスプレー、サイン、面照明等の導光パネルとしたものである。
【００１６】
請求項８に記載の発明は、同じく上記に加えて、上記光源にＬＥＤユニットを用いるとともに光源ホルダーに対するＬＥＤユニットの収納固定と必要に応じたＬＥＤユニットの取り外し及び交換を可及的簡易且つ確実になし得るものとするように、これを、上記光源を、ＬＥＤチップを基板長手方向に直列に配置したＬＥＤユニットとし、上記光源ホルダーの光源収納部を、光透過口を開口溝とする断面Ｃ字状に形成し、該開口溝両端の対向突条に導光板端部を対接自在とするとともに上記ＬＥＤチップ間の基板上に該対向突条間に亘るように交差配置して該基板と対向突条間にスペーサーを保持することによって光源ホルダーの光源収納部に該ＬＥＤユニットを収納配置してなることを特徴とする請求項１、２、３、４、５、６又は７に記載のディスプレー、サイン、面照明体等の導光パネルとしたものである。
【００１７】
本発明はこれらをそれぞれ発明の要旨として、上記課題解決の手段としたものである。
【発明の効果】
【００１８】
本発明は以上のとおりに構成したから、請求項１に記載の発明は、光源を光源ホルダーに収納して、該光源によって導光板の入射端面に入射光を供給するようにする一方、光源ホルダーに設置した裏面側の起立板を導光板に一体的に固定するとともに該一体的な固定を、導光板と光源ホルダーの起立板をこれらの間に挟んだベース板に対して可動として、光源収納の光源ホルダーを、導光板の熱膨張収縮に応じて従動するようにすることによって、導光パネルにおける導光板と光源ホルダーを、ベース板に対して独立して同時に移動自在として、該導光板の入射端面と光源ホルダーの光源の相対位置関係を常時不変に維持するようにして、熱膨張収縮の不可避な合成樹脂製の導光板を使用しながら、照明輝度の低下を招くことなく、可及的簡易且つ確実に該熱膨張収縮に起因するトラブルの可能性を解消したディスプレー、サイン、面照明等の導光パネルを提供することができる。
【００１９】
請求項２に記載の発明は、上記に加えて、導光板と光源ホルダーの起立板の一体的固定を、複雑な構造とすることなく、導光パネルの生産に適した簡易な構造のものとすることができる。
【００２０】
請求項３に記載の発明は、同じく上記に加えて、上記導光板と光源ホルダーの起立板の一体的固定を確実に行う好ましい形態とすることができる。
【００２１】
請求項４に記載の発明は、同じく上記に加えて、該斜め方向の長孔を用いた上記導光板と光源ホルダーの起立板の一体的固定を、複雑な構造とすることなく、導光パネルの生産に適した簡易な構造のものとすることができる。
【００２２】
請求項５に記載の発明は、同じく上記に加えて、上記導光板と光源ホルダーの起立板の一体的固定における上記金具固定を、市販の金具を用いてなし得るようにするとともに金具固定に際しての可動を確実になし得るものとすることができる。
【００２３】
請求項６に記載の発明は、同じく上記に加えて、上記光源ホルダーを額縁兼用のものとすることによって、可及的に少ない部材で外観の良好な導光パネルとすることができる。
【００２４】
請求項７に記載の発明は、同じく上記に加えて、導光パネルが光源ホルダーとは別に額縁を備えたものとすることによって、外観の良好な導光パネルとすることができる。
【００２５】
請求項８に記載の発明は、同じく上記に加えて、上記光源にＬＥＤユニットを用いるとともに光源ホルダーに対するＬＥＤユニットの収納固定と必要に応じたＬＥＤユニットの取り外し及び交換を可及的簡易且つ確実になし得るものとすることができる。
【図面の簡単な説明】
【００２６】
【図１】導光パネルの正面図である。
【図２】導光パネルの横断面図である。
【図３】導光パネルの縦断面図である。
【図４】図３の部分拡大図である。
【図５】光源ホルダーの断面図である。
【図６】起立板の長孔を示す部分背面図である。
【図７】導光板、ベース板、光源ホルダーの起立板の関係を示す分解斜視図である。
【図８】他の例に係る導光パネルの部分横断面図である。
【発明を実施するための形態】
【００２７】
以下図面の例に従って本発明を更に具体的に説明すれば、図１乃至図７においてＡは、大判、例えば１ｍ×２ｍよりやや大きめの縦長に形成した大判の導光パネルであり、該導光パネルＡは、光源の入射光を入射端面１１に供給して導光する合成樹脂製の導光板１と、該導光板１の裏面に配置したベース板２と、導光板１の入射端面１１とベース板２の裏面端部に亘るように該ベース板２を挟んで配置した光源ホルダー３を備えたものとしてあり、このとき、本例にあって、該導光パネルＡは、更に上記導光板１の表面に配置した光拡散板５と、該光拡散板５の表面に配置した透明カバー６とを備え且つ上記光源ホルダー３の外側に、導光パネルＡの入射端面１１側の端部を被覆する断面Ｕ字状の額縁７を備えたものとしてあり、光拡散板５と透明カバー６間に、文字、写真、図形等によって、例えば、駅舎の時刻表、ビル玄関前のオープンスペースやビル壁面における案内、更には宣伝広告等の適宜の表示を行なった図示省略のポジフィルムを配置し、上記光源を点灯して導光板１の入射端面１１に入射光を供給し、導光板１の裏面に配置した同じく図示省略の導光パタンによって入射光を導光して、上記フィルムの背面照明を行なうディスプレーやサインとして使用するものとしてある。
【００２８】
本例にあって、導光板１は、数ｍｍ、例えば５ｍｍ程度の肉厚のアクリル透明樹脂板の裏面に、光源から離隔方向に疎から密にするように密度変化を施した、成形乃至印刷の導光パタンを配置した、上記１×２ｍの縦長のものとしてあり、このとき、該導光板１の対向する一対の端面、本例にあっては左右両端に対向する端面をそれぞれ入射端面１１とし、該入射端面１１にそれぞれ光源、本例にあっては、ＬＥＤチップ４２を基板４１長手方向に直列に配置したＬＥＤユニット４による光源を臨設してある。ベース板２は、高反射率を呈する白色系合成樹脂の反射シートを積層することによって、該反射シートとともに反射板をなすものとしてあり、本例にあって該ベース板２は、例えば１〜２ｍｍ程度の肉厚のアルミ板によるものとしてあり、光拡散板５は、導光パタンの照明光を拡散して照明光を均一化する、例えば１〜２ｍｍ程度の肉厚の乳白色系半透明合成樹脂のものとしてあり、透明カバー６は、該光拡散板５との間に上記ポジフィルムを挟持して、該ポジフィルムを保護する、光の高透過率を呈する透明合成樹脂のものとしてある。
【００２９】
このとき、光源ホルダー３は、これを、入射端面１１側に光透過口３３を有する光源収納部３１と、該光源収納部３１からベース板２の裏面に向けて起立した起立板３４を具備して断面Ｌ字状に一体に形成し、該光源ホルダー３の上記光源収納部３１に光源を収納して光透過口３３から入射端面１１に入射光を供給自在とし且つ上記ベース板２を挟んだ導光板１と起立板３４を該ベース板２に対して可動として上記起立板３４を導光板１に一体的に固定することによって、該光源ホルダー３を導光板１の熱膨張収縮に対して追随移動自在としたものとしてある。
【００３０】
本例にあって、上記光源ホルダー３は、その光源収納部３１を、光透過口３３を開口溝とする断面Ｃ字状に形成し、該開口溝両端の対向突条３２に導光板１端部を対接自在とするとともに上記ＬＥＤチップ４２間の基板４１上に該対向突条３２間に亘るように交差配置して該基板４１と対向突条３２間にスペーサー４３を保持することによって光源ホルダー３の光源収納部３１に該ＬＥＤユニット４を収納配置したものとしてあり、本例の光源ホルダー３は、断面Ｃ字状の光源収納部３１と該光源収納部３１の一端に起立した起立板３４を備えた断面Ｌ字状とした押出成形材、例えば、１〜２ｍｍ程度の肉厚のアルミ押出材を用いて、導光板１の入射端面１１の長さに合せた長尺のものとしてあり、本例にあって、上記光源収納部３１は、例えば幅を１ｃｍ程度、奥行を０．５ｃｍ程度とした矩形断面にして、その起立板３４の起立方向の面に、例えば１〜２ｍｍ程度の同幅の導光板端部対接面を有する上記対向突条３２と該対向突条３２間の、例えば数ｍｍ幅の光透過口３３を配置して上記断面Ｃ字状とする一方、起立板３４は鉛直面をなすように起立した、例えば起立高さを１０ｃｍ程度とした断面Ｌ字状としてある。
【００３１】
該光源ホルダー３に対する光源、即ちＬＥＤユニット４の上記収納配置は、ＬＥＤチップ４２を上記光透過口３３に向けて、その基板４１を光源収納部３１の底面に載置するように、例えば長手方向端部から、光源ホルダー３の光源収納部３１と同長に複数直列に接続して一体化したＬＥＤユニット４をスライド装着し、そのＬＥＤチップ４２間の基板４１を、光透過口３３から所定間隔にスペーサー４３、例えばクッション材を挿入し、上記対向突条３２の裏面に両端を弾発的に保持することによって、その固定を行なってある。これによって、接続不良等のトラブルが生じたとき等に、該クッション材のスペーサー４３を、ドライバー等で引掛状にして外すことによって容易に固定を解除して、ＬＥＤユニット４の交換を可及的容易になし得るようにしてある。
【００３２】
光源ホルダー３は、その光源収納部３１を、光透過口３３を導光板１の幅方向両端の入射端面１１に向けて、対向突条３２を該入射端面１１の端部に近接乃至対接配置するとともに起立板３４をベース板２の裏面に重合配置して、起立板３４を導光板１に一体的に固定して、導光板１と光源ホルダー３の起立板３４間にベース板２を挟持して、導光板１と起立板３４を該ベース板２に対して可動としてある。
【００３３】
本例にあって、上記導光板１に対する起立板３４の一体的固定は、これを、起立板３４側から導光板１に対する金具固定によって行なうとともに該金具固定をベース板２に配置した導光板１の熱膨張方向に該金具を可動とする、例えば、ばか穴や切欠溝のような貫通孔乃至貫通溝、を介して行なったものとしてあり、本例において、該起立板３４の一体的固定位置は、これを、導光板１のコーナー近傍位置とするとともに該金具を該コーナー近傍位置から斜め方向に可動とすることによって、光源ホルダー３を導光板１のコーナー近傍位置の熱膨張収縮に対して追随移動自在としたものとしてある。該導光板１コーナー近傍位置の起立板３４の一体的固定は、これを、起立板３４に斜め方向に向けた長孔３５を配置し、該長孔３５から導光板１に対する金具固定、本例にあっては、導光板１に埋込設置したインサートナット８に起立板３４側からのボルト８１を螺入して行なったものとしてある。該金具、即ちインサートナット８は、導光板１のコーナー近傍位置に、これを埋込固定してその設置を行うとともに該インサートナット８に起立板３４、本例にあっては後述の如く額縁７から、螺入したボルト８１によって、これら導光板１と、ベース板２、起立板３４、即ち光源ホルダー３、本例にあっては更に額縁７を一体的に固定してある。
【００３４】
ベース板２の貫通孔乃至貫通溝を介した一体的固定は、ベース板２に、例えば、インサートナット８の外径より径大のばか穴、本例にあっては上記起立板３４に配置した長孔３５の長径と同等な径のばか穴２１を透設して、ボルト８１を螺入したインサートナット８が該ばか穴２１の範囲で移動し得るようにしてあり、これによって、導光板１と起立板３４の間に該ベース板２を挟持したものとして、導光板１に熱膨張収縮が生じたとき、導光板１に対して該起立板３４、即ち光源ホルダー３が追随移動するに際して、該ベース板２は、該挟持の状態で独立移動をするように可動としてあり、導光板１と熱膨張係数の異なる金属、本例にあってアルミ板によるベース板２の、相互の熱膨張収縮差を吸収して、その固定状態を維持することができるようにしてある。
【００３５】
一方、起立板３４の一体的固定は、これに上記斜め方向の長孔３５を配置することによって行ってあるところ、該一体的固定を、導光板１の入射端面１１側の中央位置近傍とした場合、該導光板１の熱膨張収縮は、導光板１の一方向、本例にあっては幅方向に生じるから、これに交差する起立板３４には、上記インサートナット８の外径に応じてこれを挿通する円形透孔、即ち、丸穴を配置すれば、その追随移動をなし得るが、上記導光板１のコーナー近傍位置、即ち、光源ホルダー３の起立板３４にあっては、その長手方向両端近傍位置において一体的固定を行う場合、導光板１におけるコーナー近傍位置の熱膨張収縮は、幅と高さの縦横双方に向かって同時的に生じるから、中央位置近傍におけると同様の丸穴を配置しても、該熱膨張収縮を吸収することができず、また、該丸穴に代えて、上記ベース板２と同様に金具を可動とする貫通孔乃至貫通溝、例えばばか穴を配置しても、導光板１に熱膨張が生じたときには、これに応じて追随移動、即ち、離隔方向への移動が可能となるが、熱収縮が生じたとき、その追随移動、即ち、引寄方向への移動をなし得ないことになるから、熱膨張によって離隔した光源ホルダー３と導光板１の入射端面１１の距離を離隔前の状態に回復し得ず、従って、この場合、熱膨張後に導光パネルＡの輝度低下を招き易い。
【００３６】
導光板１のコーナー近傍位置における起立板３４の上記斜め方向の長孔３５により、該起立板３４の一体的固定を行うことによって、該起立板３４は、熱膨張収縮に従動して、その追随移動をなし得ることになる。即ち、導光板１に熱膨張が生じたとき、金具、即ち、インサートナット８は起立板３４の長孔３５に応じて斜め方向に移動することによって、光源ホルダー３は入射端面１１から離隔方向に移動する一方、熱収縮が生じたとき、該インサートナット８は、同じく斜め方向に復帰するように移動することによって、光源ホルダー３は、入射端面１１に向けて引寄方向に移動することが可能となり、従って、斜め方向の長孔３５を配置することによって、光源ホルダー３と導光板１の入射端面１１の距離を常時一定に確保して、その相対位置を不変に維持することが可能となり、従って、熱膨張収縮によって生じる導光パネルＡの輝度変化を解消することができる。
【００３７】
斜め方向の長孔３５は、導光板１の面積に応じて、例えば、該導光板１の対角線上乃至その近傍に位置するように該対角線の角度に応じて起立板３４に配置するとともにその長さを該対角線上の熱膨張収縮量に応じた長さとし、このとき該長孔３５の幅は、これを金具の径、即ち、インサートナット８の外径に応じて該インサートナット８が移動可能な幅としてある。本例の１ｍ×２ｍの縦長の導光板１にあって、該配置角度は、これを６３．５°とし、長さを、金具、即ち、インサートナット８径の２倍〜３倍程度としてあり、導光パネルＡを製作するときの常温に応じて、該インサートナット８の位置を変化して、その上記一体的固定を行うことによって、導光板１の熱膨張収縮を吸収して、上記光源ホルダー３と入射端面１１の相対位置を不変とするようにしてある。
【００３８】
本例にあって、該光源ホルダー３の外側には、上記断面Ｕ字状の額縁７を備えたものとしてあるところ、該額縁７裏面の裏面起立板７１を上記光源ホルダー３の起立板３４と同時に導光板１に金具固定することによって光源ホルダー３とともに該額縁７を導光板１の熱膨張収縮に対して追随移動自在とるようにしてあり、このとき、該額縁７の裏面起立板７１は、その光源ホルダー３の起立板３４との位置関係が変化することはないから、その金具固定は、光源ホルダー３とともに導光板１に対して移動するように、上記ボルト８１を、該裏面起立板７１に透設した丸穴７２から、起立板３４の長孔３５、ベース板２の貫通孔乃至貫通溝、本例にあってはばか穴２１を介して導光板１の上記インサートナット８に螺入して、該額縁７の固定を行ったものとしてある。このとき、額縁７は、光源ホルダー３の起立板３４とともに移動するため、図１に示すような額縁７長手方向端部を留め切り対接したものにあっては、導光板１の熱膨張収縮に伴って該対接部に嗤いが生じる可能性があるところ、該対接部の一方又は双方に段差を付して留め切り部分が相互に重合するように配置することによって、該嗤いを吸収して、その露出を防止することができる。
【００３９】
なお、導光板１の非入射端面、即ち、上記入射端面１１に交差する対向端面においては、本例にあって、光源を配置しない光源ホルダー３の起立板３４をベース板２の裏面にこれを配置し、その外側に同様に額縁７を配置してあり、このときこれら起立板３４及び額縁７は、上記入射端面１１側におけるトラブルの可能性がないので、その固定は、これを、直接に行うものとしてあるところ、本例にあっては導光板１に配置したインサートナット８と額縁７の丸穴からのボルト８１の螺入によって、これを行ってある。
【００４０】
図８は、他の例を示すもので、本例にあって導光パネルＡは、上記光源ホルダー３を、入射端面１１側において端部を被覆するように表面に向けて起立した装飾板３６を備えた断面Ｕ字状とすることによって額縁兼用のものとした例である。
【００４１】
本例にあって該光源ホルダー３は、上記断面Ｃ字状の光源収納部３１の両端に、突出幅の大きな裏面の起立板３４と、これより突出幅を小さくした正面側の装飾板３６を備えることによって、上記断面Ｕ字状としてあり、このとき光源収納部３１は、その幅を、正面側の光拡散板５及び透明カバー６の厚さ分の、例えば数ｍｍ程度大きくして、その正面側の端部から上記装飾板３６を起立して、正面の入射端面１１側の端部を同時に被覆してある。
【００４２】
図示を省略したが、本例の入射端面１１と交差する導光板１の対向端面にあっては、該光源ホルダー３と同様に断面Ｕ字状とした額縁７を、該光源ホルダー３とその長手方向両端を留め切り対接することによって、正面外観を上記例と同様に構成してある。
【００４３】
その余は上記例と変わらないので、同一符号を付して重複する説明を省略する。
【００４４】
以上の如くに構成した導光パネルＡは、その導光板１の入射端面１１と光源ホルダー３との相対位置関係が不変に維持されるから、導光板１に熱膨張収縮が生じても、光源の破損、例えばＬＥＤユニット４の破断や損傷が生じる可能性を解消し、また、入射端面１１と光源ホルダー３の光源収納部３１が常に同じ位置関係となることによって、熱膨張収縮に伴う照明輝度の低下を招く可能性を解消することができ、特に大判の導光パネルＡに、熱膨張収縮の不可避な合成樹脂製の導光板１を使用しながら、可及的簡易な構造によって確実に、その熱膨張収縮に対応してトラブルや輝度低下のない導光パネルとすることができる。
【００４５】
図示した例は以上のとおりとしたが、光源ホルダーの断面Ｃ字状の光源収納部を幅広として、ＬＥＤユニットを複数並列して収納した高輝度の導光パネルとすること、導光板の対向する各一対の端面を入射端面として導光板の四周に光源を収納した光源ホルダーを配置したものとし、また、上記幅方向両端に代えて、高さ方向上下両端に光源を収納した光源ホルダーを配置したものとすること、このとき、光源ホルダーの導光板に対する一体的固定を上記の構造のものとすること、導光板に対する光源ホルダーの一体的固定を、上記インサートナットを使用することなく、ネジで直接に行い、また、例えば、導光板に起立固定したブリッジの先端の突起を、光源ホルダーの起立板に導光板の熱膨張収縮方向に向けて配置した案内溝にスライド自在に係合することによって行うようにすること、光源として冷陰極管、砲弾型ＬＥＤを直列配置したものを用いること、ベース板を高反射性の金属の反射板によるものとすること等を含めて、本発明の実施に当って、導光パネル、導光板、ベース板、光源ホルダー、光源収納部、起立板、光源、必要に応じて用いる金具、インサートナット、ボルト、光源ホルダーに付加する装飾板、額縁、ＬＥＤユニット、その保持用のスペーサー等の各具体的形状、材質、構造、これらの関係、これらに対する付加等は、上記発明の要旨に反しない限り様々な形態のものとすることができる。
【符号の説明】
【００４６】
Ａ  導光パネル
１  導光板
１１  入射端面
２  ベース板
２１  ばか穴
３  光源ホルダー
３１  光源収納部
３２  対向突条
３３  光透過口
３４  起立板
３５  長孔
３６  装飾板
４  ＬＥＤユニット
４１  基板
４２  ＬＥＤチップ
４３  スペーサー
５  光拡散板
６  透明カバー
７  額縁
７１  裏面起立板
７２  丸穴
８  インサートナット
８１  ボルト
【図１】
2011096506.tif 000003
【図２】
2011096506.tif 000004
【図３】
2011096506.tif 000005
【図４】
2011096506.tif 000006
【図５】
2011096506.tif 000007
【図６】
2011096506.tif 000008
【図７】
2011096506.tif 000009
【図８】
2011096506.tif 000010